(57)【要約】【課題】  新方式への葺き替え施工が非常に安価につきしかも一度葺き替えれば次の葺き替えまでの施工頻度も少なくて済むようにした経済性・耐久性の高い屋根施工方法および屋根付き建物を提供すること。【解決手段】  草葺き屋根を存続させたままでその上側に所要とする下地構成材を施してその上側に少なくとも外部となる表面に草葺き屋根を表現する擬似模様を施した外装屋根材を敷設するようにする方法。【選択図】図４
2019203365.tif 000002
【特許請求の範囲】
【請求項１】
草葺き屋根を存続させたままでその上側に所要とする下地構成材を施してその上側に少なくとも外部となる表面に草葺き屋根を表現する擬似模様を施した外装屋根材を敷設するようにする屋根施工方法。
【請求項２】
草葺き屋根の葺き草部分をその下側の屋根骨組部分を少なくとも一部残した状態にして取り除くとともに屋根骨組部分の上側に所要とする下地構成材を施してその上側に少なくとも外部となる表面に草葺き屋根を表現する擬似模様を施した外装屋根材を敷設するようにする屋根施工方法。
【請求項３】
存続されてなる草葺き屋根の上側に所要の下地構成材が施されているとともに該下地構成材の上側には少なくとも外部となる表面に草葺き屋根を表現する擬似模様を施した外装屋根材が敷設されてなる屋根付き建物。
【請求項４】
草葺き屋根の葺き草部分はその下側の屋根骨組部分を少なくとも一部残した状態にして取り除かれた状態にされている一方、前記屋根骨組部分の上側には所要の下地構成材が施されているとともに、その下地構成材の上側には少なくとも外部となる表面に草葺き屋根を表現する擬似模様を施した外装屋根材が敷設されてなる屋根付き建物。
【発明の詳細な説明】
【技術分野】
【０００１】  本発明は、屋根施工方法および屋根付き建物に関する。
【背景技術】
【０００２】  例えば、田舎では草葺き屋根と称する古来からの屋根葺き方式による住居など建物が未だに存続している。
【先行技術文献】
【特許文献】
【０００３】
【特許文献１】
【発明の概要】
【発明が解決しようとする課題】
【０００４】  この建物の草葺き屋根部分は、それを葺き替える場合、例えば、１軒当たり１０００万円程度かかるとされ、仮に施工してもらうとして２０年毎に支払うことになれば毎年５０万円前後を用意しなければならないため農家にとっては非常に大きな問題となっている一方、またそれを施工し得る屋根葺き業者の方も１県当たり数人とか数社とか非常に少なくなってきていて対応が充分に得られないようになっているのが現状である。【０００５】  本発明は、このような問題を解決しようとするものであり、新方式への葺き替え施工が非常に安価につきしかも一度葺き替えれば次の葺き替えまでの施工頻度も少なくて済むようにした経済性・耐久性の高い屋根施工方法および屋根付き建物を提供することを目的とする。
【課題を解決するための手段】
【０００６】  本発明は上記目的を達成するため、請求項１に記載の発明は、草葺き屋根を存続させたままでその上側に所要とする下地構成材を施してその上側に少なくとも外部となる表面に草葺き屋根を表現する擬似模様を施した外装屋根材を敷設するようにする。
請求項２に記載の発明は、草葺き屋根の葺き草部分をその下側の屋根骨組部分を少なくとも一部残した状態にして取り除くとともに屋根骨組部分の上側に所要とする下地構成材を施してその上側に少なくとも外部となる表面に草葺き屋根を表現する擬似模様を施した外装屋根材を敷設するようにする。
請求項３に記載の発明は、存続されてなる草葺き屋根の上側に所要の下地構成材が施されているとともに該下地構成材の上側には少なくとも外部となる表面に草葺き屋根を表現する擬似模様を施した外装屋根材が敷設されてなる。
請求項４に記載の発明は、草葺き屋根の葺き草部分はその下側の屋根骨組部分を少なくとも一部残した状態にして取り除かれた状態にされている一方、前記屋根骨組部分の上側には所要の下地構成材が施されているとともに、その下地構成材の上側には少なくとも外部となる表面に草葺き屋根を表現する擬似模様を施した外装屋根材が敷設されてなる。
【発明の効果】
【０００７】  上述したように請求項１に記載の屋根施工方法は、草葺き屋根を存続させたままでその上側に所要とする下地構成材を施してその上側に少なくとも外部となる表面に草葺き屋根を表現する擬似模様を施した外装屋根材を敷設するようにするので、新方式への葺き替え施工が非常に安価につきしかも一度葺き替えれば次の葺き替えまでの施工頻度も少なくて済むようにした経済性・耐久性の高い屋根施工方法を提供することができる。
【図面の簡単な説明】
【０００８】
【図１】  本発明の屋根施工方法の一実施形態を示す正面図。
【図２】  図１に示す住宅の屋根部分に施工をする説明手順の矢視図。
【図３】  図２のＩＩＩ−ＩＩＩ線拡大断面図。
【図４】  図３の外装屋根材の一例を示す斜視図。
【図５】  外装屋根材の擬似模様施工のための装置の一例を示す模式図。
【図６】  外装屋根材の他の実施形態を示す一例を示す斜視図。
【図７】  外装屋根材のさらに他の実施形態を示す斜視図。
【図８】  図７のＶＩＩＩ−ＶＩＩＩ線模式断面図。
【図９】  外装屋根材相互間の水漏れ対策構造を示す断面図。
【図１０】  凹面状外装屋根材を作製するための一方法を示す説明図。
【図１１】  凹面状外装屋根材を作製するための他の方法を示す説明図。
【図１２】  他の外装屋根材の施工方法を示す正面図。
【図１３】  その上下間の水漏れ対策構造を示す断面図。
【図１４】  他の水漏れ対策構造を示す断面図。
【図１５】  他の水漏れ対策構造を示す断面図。
【図１６】  既存葺き草部分を取り除いて屋根骨組部分上に外装屋根材を施した例を示す断面図。
【図１７】  付加的な提案例を施工途上の段階において示す正面図。
【図１８】  図１７の提案例の最終施工時の様子を示す正面図。
【発明を実施するための形態】
【０００９】  以下、本発明である屋根施工方法についての一実施形態を図１ないし図３他を参照しつつ説明する。
図１は現存する草葺き屋根（総称）を備えた入母屋型住宅の一例を示すもので、１は住宅本体部分、２は既存葺き屋根部分である。既存葺き屋根部分２は、図３および図１６（別の実施形態）に示すように既存さす３…とそれに直交する既存ヤナカ４…及び屋根傾斜方向に流される形で既存垂木（くだりともいう）５を屋根骨組部分としてその上側に覆うようになわ結着などによって装備されている。既存葺き屋根部分２は、葺き屋根本体部分７と天頂部に被せられた棟部８とを備えている。葺き屋根本体部分７は、その外面が図２の実線のように斜めにストレートに下がるように形成され、その先端は軒付け９となっている。既存の屋根骨組部分の改装を図１以降の実施形態の改装と同時に行うことは自由である。
【００１０】  こうした古い民家や施設に対し、草葺き屋根の部分をそのまま残して存続させたままでその上側に所要の下地構成材を施してのちそのさらに上側に外装屋根材を施すものとする。図面では住宅の主に正面側のみを取り上げて例示するが他の面についても同様の施工方法を採るものとする。
下地構成材は、新たな垂木１２…と野地板１３…および野地押さえ板１４を備え、さらにその上の防水シート１５とシート押さえ１６とを備える。垂木１２は、角材の長いもので葺き屋根本体部分７の傾斜面全長に亘るものとされ、その取付方法は、図３に示すように、既存垂木５…に基部が取り付けられて外部に向けて突設したホコタケ１８…により釘付け固定されている。ホコタケ１８…は、既存垂木５の左右一対を１組として突設されるとともに既存垂木５の１本当たりにつきその屋根傾斜方向に例えば、５組など複数組が配備されている。既存垂木５と新たな垂木１２とは内外において対応して位置する関係にある。
【００１１】  野地板１３は、この実施形態では帯長板であって横長状に向けて図示しない釘づけによって下から上にあるいは上から下へと順に隙間なく取付られてゆく。図２に仮想線で示すように幅を垂木１２，１２の取付ピッチに合わせた広幅状のベニヤ板を野地板１３Ａとしたり、２ピッチなど複数ピッチに合わせた幅をもつ野地板１３Ｂとしてもよい。野地押さえ板１４は、細長い板材であって野地板１３上面における垂木１２に対応する位置にそれぞれ釘付けにより取り付けられている。防水シート１５は、野地押さえ板１４…・野地板１３の可及的に全面、即ち、図２の前面・後面全体に亘るような中央の矩形部分とその左右脇隅部を含めて覆う樹脂シートとされ、さらに図２の左右斜面にも覆われる。
【００１２】  この防水シート１５は、野地板１３や野地押さえ板１４に対し粘着あるいは接着により貼付ければより防水効果が上がる。防水シート１５の固定は細幅状の木板でなるシート押さえ１６を載せ付けて釘付けすることによりなされている。その釘付けは野地押さえ板１４，１４間に対応するシート部分を介するのでなく少し高くなったシート押さえ１６の部分を介して行われるので釘付けの孔を通じての水漏れの防止対策にもなる。ここにおいて、下地構成材は、垂木１２・野地板１３・野地押さえ板１４・防水シート１５・シート押さえ１６などである。
【００１３】  下地構成材の上側には、外装屋根材２０が縦長状木質材あるいは樹脂材さらにアルミ合金などを使用してなり敷設固定される。アルミ合金や各外装屋根材２０は、図４のように、底板２１と擬似外装板２２および前後のつなぎ板２３，２４とを有する。底板２１は、既存の葺き屋根本体部分７の傾斜方向長さに略匹敵する長さをもつ板材で、その左右脇部には、擬似外装板２２を受け止めるための受台２６が載せ付けられるとともに止め孔２７が開けられている。底板２１の傾斜方向前後には、底板２１を上向きコの字状とする折り曲げ舌片状の下受片２８，２８が突設されているが左右は開放状になっている。
【００１４】  一方、擬似外装板２２は、同外装板２２を下向きコの字状とする上受片３０，３０が突設されており、前後のつなぎ板２３，２４はこれら底板２１と擬似外装板２２とが上下に一定離れた形で止着具３１…により止め付けられるようになっている。
ここで、擬似外装板２２の外部表面には、草葺き屋根を表現した擬似模様３３が全面に形成されている。この擬似模様３３は、図１において傾斜方向に茅などが流れ指向すると全く同じ向きに恰も茅が葺かれているかの如くに表現されている。
【００１５】  その擬似模様３３は、例えば、図５に示すように、駆動ホイール３５の外周に多数本突設された金属線状のブラシ３６…を回転させ、そこに擬似外装板２２の原材を通すことにより引っ掻きの痕跡を造作すること（ヘアーライン仕上げ）でなされる。この実施形態では、ブラシ３６は、駆動ホイール３５の回転方向に対し先端が後行する形で多数配備されている。また、駆動ホイール３５は大小のものが設けられて大小の引っ掻き痕跡が得られるようにしてあるが、いずれか一方のホイール３５のみでもって行うようにしてもよい。さらに、擬似模様３３は、ショットピーニング法やスクラッチ法によって形成することがある。また、前記ヘアーライン仕上げとショットピーニング法あるいはスクラッチ法のいずれかとを組み合わせて行うこともできる。前つなぎ板２３に付される前擬似模様３４はショットピーニング法によるものが望ましい。
【００１６】  図１は擬似模様３３、３４の他の作り方を例示している。既存葺き屋根の本体部分７や軒付け９の部分をカメラ３８で撮影してその記録映像に基づいて擬似外装板２２や前つなぎ板２４の表面に擬似模様３３、３４を焼付塗装処理したり、あるいは樹脂塗装によるシート化したものあるいはフィルム化したものを擬似外装板２２や前つなぎ板２４に貼り付けて完成させるという方法である。
【００１７】  こうして出来上がった外装屋根材２０は、擬似外装板２２を取り外した状態の底板２１側を左右のシート押さえ１６上に載せ付けて止め孔２７…に止着具４０を打ち込むことでシート押さえ１６側に底板２１…を敷設固定してゆき、そのあとで、上側の擬似外装板２２を受台２６に載せかけた状態にして両つなぎ板２３，２４を介して止着具３１…で枠組みを完成するようにする。
尚、つなぎ板２３には、仮に水が溜まるようなことがあった場合にそれを排除する換気兼排水ドレンパイプ４１が設けられている。また、図４の右欄に示すように、底板２１自体に一体のつなぎ板２３を設けてもよく、一方擬似外装板２２側につなぎ板２３を一体に設けてもよい。
図２の屋根の正面部分以外の側脇部分の隅部外装屋根材４２は、同図右欄のように図４と同様の中空合わせ型で三角形を２つ寄せ合わせたような特殊屋根材とする。
外装屋根材２０の上端前後のものが合わさったところには、棟部８の外装材として、図４の外装屋根材２０を逆Ｖ字状に折り曲げ形成したような棟外装材８Ａを外装屋根材２０を受側として装着する。
前つなぎ板２３は、図４に仮想線で示すように下向きに長く伸ばして既存の軒付け９を敢えて隠すようにすることもある（以下同じ）。
【００１８】  図６は外装屋根材２０の外部表面を凹曲面状をした実施形態を示すものである。古来の葺き屋根にはストレートに下がったものの他凹曲面状に形成されたものもあることから、その特殊性を重んじてなされたものである。この凹曲面をした擬似外装板２２は、図１０に示すように、木質原材４３から自動鋸４４で切り出したものであったり、あるいは図１１に示すように、木質平板を熱蒸気４６を上あるいは下から付与できるようにしたプレス機４７により圧縮熱成形するようにする。
【００１９】  図７のように、外装屋根材２０は側面板５０を両側に一体化した完全中空型のものにすることもできる。図８はその横断面の様子を示し、内部には強度向上のためのリブ５１を縦長状に追加してもよい。
【００２０】  前記実施形態では図３，４および図６の上板である擬似外装板２２として木質材を使用し得るとしたが、下側の底板２１を含め、特に擬似外装板２２の場合は、合成木材を使用することが草葺き屋根を美的によく表現できしかも濡れても腐らない長期使用に耐える点において好適である。即ち、図９は厚さ数ｃｍ程度の合成木材の断面を示すもので、合成木材にした擬似外装板２２は、アルミなどの芯材５３を有し主体部分５４を発泡ポリエチレンとし、さらに高い耐候性樹脂をコーティング５５とするものである。コーティング５５は、例えば、木片入りＡＳＡ（ＡＢＳ樹脂のＢ成分であるブタジェンゴムの代わりに弾性のあるアクリレートを用いた、豊かな木質感を表現しながらも耐久性を向上させたものであり、その木質感と併せて前記擬似模様３３を織り込み処理することで人工的ではありながらもいかにも草葺き屋根らしさを表現し得るものであるとする。
【００２１】  この合成木材を使ったものとしては、前記図３，４および６の実施形態のもの以外に、例えば、図１０および図１１で凹曲面に成形され図３のようなボックス型でなくあくまでも１枚ものとして既存屋根部分２上に葺設される方式とした板自身にもこの合成木材を使用することができる。尚、図９の下欄は、そうした合成木材を使用した場合の隣同士を中間排水路５７付きで凹凸係合部５８，５９の合わせ構造で側面結合したものを表している。合成木材は例えば、凸係合部５９を通じて釘打ちをしてそこに隣の凹係合部５８を係合してゆく関係にしてゆけば取付は完了する。芯材５３は特に構成しないこともある。また、合成木材を使用した際の平面部でなく端面部には、図１の軒付け９を人工的に反映するワラ端面を集積したような擬似模様３４を一体成形することができる。図９の６０は底ドレンである。また６１はシール６２付き突片である。尚、図９では１枚ものの合成木材を下地構成材上に敷設した場合を例示してあるが、図３や図４、図６のようにボックス型の外装屋根材２０を敷設する場合にも使用することができるし、以下の実施形態でも使用可能である。
【００２２】  図１２は既存葺き屋根を残したままでその上に例えば、前記した合成木材製の外装屋根材７０を横長配置式にして上下複数枚敷設するようにしたものである。この外装屋根材７０には通常の木材の他に樹脂やアルミなどの金属などが使用されるが、横長配置にしたことにより図１３に示すように傾斜上側にくる外装屋根材７０の上突部７１を下側にくる外装屋根材７０の下凹部７２内に納まるようにすることで雨水の浸入のない屋根構造とすることができる。７３はシールであり、７４は垂木（くだり）である。このように垂木７４の上に直接外装屋根材７０を載せ付けるという簡略化が可能になる。図１４のように丸ゴム式のシール７３にしたり、図１５のように補助突片７５を付けてさらなる浸入防止を図るようにしてもよい。
【００２３】  図１ないし図３は既存葺き屋根部分２をそのまま残してその上に新たな擬似屋根である外装屋根材２０を敷設する方法について説明したが、そうでなく図１６のように既存葺き屋根部分２は完全に撤去し既存のさす３・ヤナカ４・垂木５はそのまま有効利用して外装屋根材２０を敷設するようにしてもよい。１３は野地板、１４は野地押さえ板、１５は防水シート、１６はシート押さえで全て新たな構成メンバーであり、その上に図４、図６、図７、図９のような外装屋根材２０や同図の上側に示すような１枚ものからなるＦＲＰや合成木材質などの樹脂板、天然木材あるいは金属板などの外装屋根材２０を載置固定するようにしたものである。外装屋根材２０には擬似模様３３，３４が付されるものとする。尚、図１６の上欄に示すように上面に凹凸７７を付しておけば雨音の消音効果にもなる。
【００２４】  図１７および図１８は入母屋型葺き屋根２をそのまま残しその上に針金で垂木８０を配列したあとその上に金網とかアラミドなどによる定着網８１を針金により全体に亘るべく掛張固定し、さらにその上から透明あるいは色付き防水セメントかセラミック塗装８２を吹き付け処理して現状補修をすることもできるという付加的な提案例を示すもので、安価に屋根の補強、耐久性のアップ、雨漏り対策ができるものである。前記吹き付けは、定着網８１が埋まるまでなされる。尚、図１８のように、完成した補強屋根側からは下向きに牽きワイヤ８３の複数を牽き、アンカー８４にそれぞれ結合しておくことで例えば、竜巻に強い住居造りが可能になる。
【符号の説明】
【００２５】  １…住宅本体部分  ２…既存葺き屋根部分  １２…垂木（下地構成材）  １３…野地板（下地構成材）  １４…野地押さえ板（下地構成材）  １５…防水シート  １６…シート押さえ（下地構成材）  ２０…外装屋根材  ２２…擬似外装板  ３３，３４…擬似模様。
【図１】
2019203365.tif 000003
【図２】
2019203365.tif 000004
【図３】
2019203365.tif 000005
【図４】
2019203365.tif 000006
【図５】
2019203365.tif 000007
【図６】
2019203365.tif 000008
【図７】
2019203365.tif 000009
【図８】
2019203365.tif 000010
【図９】
2019203365.tif 000011
【図１０】
2019203365.tif 000012
【図１１】
2019203365.tif 000013
【図１２】
2019203365.tif 000014
【図１３】
2019203365.tif 000015
【図１４】
2019203365.tif 000016
【図１５】
2019203365.tif 000017
【図１６】
2019203365.tif 000018
【図１７】
2019203365.tif 000019
【図１８】
2019203365.tif 000020